(57)【要約】      （修正有）【課題】短絡が発生せず光の漏れ現象が効率的に防止され、画質を向上する。【解決手段】絶縁第１基板と、走査信号を伝達するゲート線と、画像信号を伝達するデータ線と、第１基板と対向している第２基板と、第１基板と第２基板との間に注入されている液晶物質と、ゲート線とデータ線とによって区分される画素と、各画素を区画するブラックマトリックスと、画素ごとに別途に形成されている画素電極とを含み、画素電極と前段のゲート線との間で維持容量を形成する液晶表示装置において、第１画素行の各画素の開口率は他の画素行の各画素の開口率と異なるように形成されている。【選択図】図３
2011039538.tif 000002
【特許請求の範囲】
【請求項１】
第１絶縁基板と、
前記第１基板の上に形成されている第１信号線と、
前記第１信号線の端に連結されており、外部の駆動回路と連結される第１パッドと、
前記第１信号線と絶縁され、かつ交差して画素領域を形成する第２信号線と、
前記第２信号線の端に連結されており、前記外部の駆動回路と連結される第２パッドと、
前記画素領域の集合である表示領域の外側に位置し、前記第１信号線及び前記第１パッドと絶縁されている第１光遮断パターンと、
を含む液晶表示装置。
【請求項２】
前記第１光遮断パターンは、前記第１信号線及び前記第１パッドと重ならない一に配置されている、請求項１に記載の液晶表示装置。
【請求項３】
前記第１光遮断パターンは、前記表示領域から前記第１パッドの間の領域に位置する、請求項２に記載の液晶表示装置。
【請求項４】
前記第１光遮断パターンは、前記第１パッドと所定間隔をもたせて配置されている、請求項３に記載の液晶表示装置。
【請求項５】
前記第１光遮断パターンは前記第２信号線と同一の層に形成される、請求項１に記載の液晶表示装置。
【請求項６】
前記表示領域の外側に位置し、前記第２信号線及び前記第２パッドと絶縁されている第２光遮断パターンをさらに含む、請求項１に記載の液晶表示装置。
【請求項７】
前記第２光遮断パターンは前記第１信号線と同一の層に形成される、請求項６に記載の液晶表示装置。
【請求項８】
前記第１基板と対向する第２絶縁基板をさらに含む、請求項１に記載の液晶表示装置。
【請求項９】
前記各画素領域に形成されたブラックマトリックスをさらに含む、請求項８に記載の液晶表示装置。
【請求項１０】
前記第１及び第２光遮断パターンは前記ブラックマトリックスと重なっている、請求項９に記載の液晶表示装置。
【請求項１１】
前記第１基板と第２基板とを接着し、かつ前記表示領域を囲む封印材をさらに含む、請求項８に記載の液晶表示装置。
【請求項１２】
前記第１及び第２光遮断パターンは前記封印材と重ならないように配置されている、請求項１１に記載の液晶表示装置。
【請求項１３】
前記画素領域に形成されているカラーフィルターをさらに含む、請求項８に記載の液晶表示装置。
【請求項１４】
前記第２基板の上に形成されている共通電極をさらに含む、請求項８に記載の液晶表示装置。
【請求項１５】
前記第１及び第２信号線に連結されている薄膜トランジスタと、前記薄膜トランジスタに連結されており前記画素領域に位置する画素電極とをさらに含む、請求項１に記載の液晶表示装置。
【請求項１６】
第１絶縁基板と、
第１基板の上に形成されており、ゲート線、前記ゲート線に連結されているゲート電極、及び前記ゲート線に連結されて外部から走査信号を伝達するゲートパッドを含むゲート配線と、
前記ゲート配線と分離されている第１光遮断パターンと、
前記ゲート配線及び前記第１光遮断パターンを覆っているゲート絶縁膜と、
前記ゲート絶縁膜の上に形成されている半導体層と、
前記半導体層及び前記ゲート絶縁膜の上に形成されており、前記ゲート線と交差して画素領域を定義するデータ線、前記データ線に連結されているソース電極、前記ゲート電極を中心にして前記ソース電極と対向するドレーン電極及び前記データ線に連結されて外部から画像信号を伝達するデータパッドを含むデータ配線と、
前記データ配線と分離されている第２光遮断パターンと、
前記データ配線及び前記第２光遮断パターンを覆い、前記ゲートパッド、前記データパッド及び前記ドレーン電極をそれぞれ露出させる第１乃至第３接触孔を前記ゲート絶縁膜と共に有する保護膜と、
前記ドレーン電極と連結されている画素電極とを備え、
前記第１及び第２光遮断パターンは、前記画素領域の集合である表示領域外側に位置している、液晶表示装置。
【請求項１７】
前記第１及び第２光遮断パターンは、それぞれ前記データ線及び前記ゲート線と重ならないように配置されている、請求項１６に記載の液晶表示装置。
【請求項１８】
前記第１及び第２光遮断パターンは、それぞれ前記データパッド及び前記ゲートパッドと所定距離をもたせて配置されている、請求項１６に記載の液晶表示装置。
【請求項１９】
前記第１基板と対向する第２絶縁基板と、
前記第２基板の上に形成されており前記画素領域に対応する位置に配置されているカラーフィルターと、
前記第２基板の上に形成されており前記カラーフィルターを囲んでいるブラックマトリックスと、
前記カラーフィルター及び前記ブラックマトリックスを覆っている共通電極と、
をさらに含む、請求項１６に記載の液晶表示装置。
【請求項２０】
前記第１及び第２光遮断パターンは、前記ブラックマトリックスと重なるように配置されている、請求項１９に記載の液晶表示装置。
【請求項２１】
前記第１基板と前記第２基板とを接着する封印材をさらに含む、請求項１９に記載の液晶表示装置。
【請求項２２】
前記第１及び第２光遮断パターンは前記封印材と重ならないように配置されている、請求項２１に記載の液晶表示装置。
【請求項２３】
前記半導体層の上に形成されている抵抗性接触層をさらに含む、請求項１６に記載の液晶表示装置。
【請求項２４】
前記第１及び第２接触孔を通じて前記ゲートパッド及び前記データパッドをそれぞれ覆う補助ゲートパッド及び補助データパッドをさらに含む、請求項１６に記載の液晶表示装置。
【請求項２５】
第１絶縁基板の上にゲート配線及び前記ゲート配線と分離されている第１光遮断パターンを形成する段階と、
前記ゲート配線及び前記第１光遮断パターンを覆うゲート絶縁膜を形成する段階と、
前記ゲート絶縁膜の上に半導体層を形成する段階と、
前記半導体層の上に抵抗性接触層を形成する段階と、
前記ゲート絶縁膜の上部に、前記ゲート配線と交差して画素領域をなすデータ配線及び前記データ配線と分離されている第２光遮断パターンを形成する段階と、
前記データ配線及び前記第２光遮断パターンを覆う保護膜を形成する段階と、
前記保護膜の上に画素電極を形成する段階とを含み、
前記第１及び第２光遮断パターンを、前記画素領域の集合からなる表示領域の外側に位置するように形成する、液晶表示装置の製造方法。
【請求項２６】
前記第１及び第２光遮断パターンを、それぞれ前記データ配線及び前記ゲート配線と重ならないように形成する、請求項２５に記載の液晶表示装置の製造方法。
【請求項２７】
前記半導体層、前記抵抗性接触層、前記データ配線及び前記第２光遮断パターンを、一回の写真工程で形成する、請求項２５に記載の液晶表示装置の製造方法。
【発明の詳細な説明】
【技術分野】
【０００１】
本発明は液晶表示装置に関し、なかでも光の漏れがなく全画面にかけて平均した輝度を有する液晶表示装置に関する。
【背景技術】
【０００２】
液晶表示装置は、一般的に、共通電極やカラーフィルターなどが形成されている上部基板と、薄膜トランジスタや画素電極などが形成されている下部基板との間に液晶物質を注入し、画素電極及び共通電極に互いに異なる電位を印加することによって電界を形成して液晶分子の配列を変更し、これを通じて光の透過率を調節することによって画像を表現する装置である。
【０００３】
このような液晶表示装置において、画素電極と共通電極との間で形成される定電容量のみでは液晶に加える電場を充分な時間維持することができないことがあるので、そのために維持容量を形成することが普通である。
【０００４】
維持容量を形成する１つの方法として多く用いられる方法は、画素電極を前段のゲート線と重ねることによってこれらの間に維持容量を形成することであり、このような方式を前段ゲート方式という。
【０００５】
それぞれの画素電極は、絶縁層を隔てて前段ゲート線と重なって維持容量Ｃｓｔを形成し、液晶を隔てて共通電極と対向して液晶容量Ｃｌｃを形成する。さらに、寄生容量Ｃｇｄがゲート電極とドレーン電極との間に形成される。
【発明の概要】
【発明が解決しようとする課題】
【０００６】
このような液晶表示装置において、共通電極とそれぞれの画素電極との間の電圧は例えば６０Ｈｚ（１秒に６０周期）で変化する。一周期内では、第１ゲート線から最後のゲート線まで順次に薄膜トランジスタをオンさせるパルス（Ｖｏｎパルス）が印加される。特定のゲート線にＶｏｎパルスが印加される時には他のゲート線にはオフ電圧Ｖｏｆｆが印加される。共通電極電圧Ｖｃｏｍを約５Ｖとすると、電圧Ｖｏｎは通常約２０Ｖであり、電圧Ｖｏｆｆは通常約−７Ｖ程度である。特定のゲート線にＶｏｎが印加されると、その行の薄膜トランジスタが導通し、データ線に印加された画像信号電圧が画素電極に印加される。しかし、その行の薄膜トランジスタがオフされた状態（Ｖｏｆｆ印加）で前段ゲート線にＶｏｎ電位が印加されて前段ゲート線の電位Ｖｇが−７Ｖから２０Ｖに変動上昇すると、下記の数式によって計算される値の分だけ画素電極の電位Ｖｐも上昇するようになる。
【０００７】
(数１)
ΔＶｐ＝［Ｃｓｔ／（Ｃｓｔ+Ｃｌｃ+Ｃｇｄ+その他の寄生容量）］×ΔＶｇ（＝２７Ｖ）
このようになると、共通電極電圧Ｖｃｏｍと画素電極電圧Ｖｐとの電圧差に対する関数であるＣｌｃ及びその他の寄生容量が共に変化する。以後、前段ゲート線がＶｏｎからＶｏｆｆに移行すると画素電極電圧Ｖｐは回復するが、前記Ｃｌｃ及び寄生容量の電圧依存性のため正確に元の値に回復しない。しかし、第１行以外の全ての画素電極が全て同一な態様に変動するので同一の階調における明るさは同一になる。しかし、第１行の画素は前段ゲート線がないので他の行の画素とは異なる態様に電圧が変動するようになり、これは同一の階調における明るさのばらつきを引き起こす。一般に、第１行の明るさが他の行に比べて明るくなると目障りになる。
【０００８】
このような問題点を解決するために、従来では第１画素行の維持容量用ゲート線Ｇ０を追加してＧ２に連結したり、Ｇｍに連結する方法を使用する。しかし、前者の場合にはＧ２駆動ＩＣ（integrated circuit）は一つのゲート線駆動容量で二つのゲート線を駆動することとなって駆動電流が不足するようになり、これによってノーマリホワイトモードでは第２行が他の行に比べて非常に明るくなる。このような現象は、液晶表示装置の画面が大きくなり高精細化することによって各ゲート線にかかる電気的負荷が大きくなることに伴いさらに激しくなる。後者の場合には、Ｇ０とＧｍを連結するためにＰＣＢ（printed circuit board）などを経由する複雑な配線を形成しなければならない不便があることはもちろん、第１行と最終行の画素の明るさが他の部分と異なるようになる。
【０００９】
一方、前記薄膜トランジスタ基板は、通常、カラーフィルター基板よりその大きさが大きい。従って、薄膜トランジスタ基板とカラーフィルター基板とを結合する時、対応するブラックマトリックス部分がない薄膜トランジスタ基板の周辺部は外部に露出して光の漏れが発生する。
【課題を解決するための手段】
【００１０】
本発明が達成しようとする技術的課題は液晶表示装置の画質を向上させることである。
【００１１】
本発明が達成しようとする他の技術的課題は短絡が発生せず光の漏れ現象を効率的に防止する液晶表示装置を提供することである。
【００１２】
本発明は、
第１絶縁基板と、
前記第１基板の上に形成されている第１信号線と、
前記第１信号線の端に連結されており、外部の駆動回路と連結される第１パッドと、
前記第１信号線と絶縁され、かつ交差して画素領域を形成する第２信号線と、
前記第２信号線の端に連結されており、前記外部の駆動回路と連結される第２パッドと、
前記画素領域の集合である表示領域の外側に位置し、前記第１信号線及び前記第１パッドと絶縁されている第１光遮断パターンと、
を含む液晶表示装置を提供する。
【００１３】
また、本発明は、
第１絶縁基板と、
第１基板の上に形成されており、ゲート線、前記ゲート線に連結されているゲート電極、及び前記ゲート線に連結されて外部から走査信号を伝達するゲートパッドを含むゲート配線と、
前記ゲート配線と分離されている第１光遮断パターンと、
前記ゲート配線及び前記第１光遮断パターンを覆っているゲート絶縁膜と、
前記ゲート絶縁膜の上に形成されている半導体層と、
前記半導体層及び前記ゲート絶縁膜の上に形成されており、前記ゲート線と交差して画素領域を定義するデータ線、前記データ線に連結されているソース電極、前記ゲート電極を中心にして前記ソース電極と対向するドレーン電極及び前記データ線に連結されて外部から画像信号を伝達するデータパッドを含むデータ配線と、
前記データ配線と分離されている第２光遮断パターンと、
前記データ配線及び前記第２光遮断パターンを覆い、前記ゲートパッド、前記データパッド及び前記ドレーン電極をそれぞれ露出させる第１乃至第３接触孔を前記ゲート絶縁膜と共に有する保護膜と、
前記ドレーン電極と連結されている画素電極とを備え、
前記第１及び第２光遮断パターンは、前記画素領域の集合である表示領域外側に位置している、液晶表示装置を提供する。
【００１４】
また、本発明は、
第１絶縁基板の上にゲート配線及び前記ゲート配線と分離されている第１光遮断パターンを形成する段階と、
前記ゲート配線及び前記第１光遮断パターンを覆うゲート絶縁膜を形成する段階と、
前記ゲート絶縁膜の上に半導体層を形成する段階と、
前記半導体層の上に抵抗性接触層を形成する段階と、
前記ゲート絶縁膜の上部に、前記ゲート配線と交差して画素領域をなすデータ配線及び前記データ配線と分離されている第２光遮断パターンを形成する段階と、
前記データ配線及び前記第２光遮断パターンを覆う保護膜を形成する段階と、
前記保護膜の上に画素電極を形成する段階とを含み、
前記第１及び第２光遮断パターンを、前記画素領域の集合からなる表示領域の外側に位置するように形成する、液晶表示装置の製造方法を提供する。
【発明の効果】
【００１５】
このような構造で、第２基板のブラックマトリックスで覆われない部分に第１及び第２光遮断パターンを形成して光の漏れを防止することができる。
【図面の簡単な説明】
【００１６】
【図１】本発明の第１実施形態例による液晶表示装置の平面図である。
【図２】図１のII−II’線に沿って切断して示した断面図である。
【図３】図１に示された液晶表示装置の他の平面図であって、その配線構造を示している。
【図４】図１に示された液晶表示装置の回路図である。
【図５】本発明の第２実施形態例によるブラックマトリックスを備えた液晶表示装置の平面図である。
【図６】図５のVI−VI’線に沿って切断して示した断面図である。
【図７】図５に示されたブラックマトリックスの平面図である。
【図８】本発明の第３実施形態例による液晶表示装置の平面図である。
【図９】図８に示された液晶表示装置の回路図である。
【図１０】本発明の第４実施形態例による液晶表示装置の平面図である。
【図１１】図１０に示された液晶表示装置の他の平面図であって、その配線構造を示している。
【図１２】図１１のＸII−ＸII’線に沿って切断して示した断面図である。
【図１３】図１１のＸIII−ＸIII’線に沿って切断して示した断面図である。
【図１４】図１０に示された液晶表示装置を製造する工程を順序に従って示した図面である。
【図１５】図１０に示された液晶表示装置を製造する工程を順序に従って示した図面である。
【図１６】図１０に示された液晶表示装置を製造する工程を順序に従って示した図面である。
【図１７】図１０に示された液晶表示装置を製造する工程を順序に従って示した図面である。
【図１８】図１０に示された液晶表示装置を製造する工程を順序に従って示した図面である。
【図１９】図１０に示された液晶表示装置を製造する工程を順序に従って示した図面である。
【図２０】図１０に示された液晶表示装置を製造する工程を順序に従って示した図面である。
【図２１】図１０に示された液晶表示装置を製造する工程を順序に従って示した図面である。
【図２２】本発明の第５実施形態例による液晶表示装置の平面図である。
【図２３】図１８のＸＩＸ−ＸＩＸ’線に沿って切断して示した断面図である。
【図２４】図１８のＸＸ−ＸＸ’線に沿って切断して示した断面図である。
【発明を実施するための形態】
【００１７】
以下、図面に基づいて本発明の実施形態例による液晶表示装置の構造について説明する。
【００１８】
図１は本発明の第１実施形態例による液晶表示装置における第１画素行の画素領域の平面図であり、図２は図１のII−II’線に沿って切断して示した断面図である。
【００１９】
本発明による液晶表示装置は、基本的に上部基板と下部基板との間に液晶物質が注入されており、多数の画素行にかけて多数の画素領域を有している構造からなる。以下の説明は第１画素行にある一つの画素領域と関連してなされる。
【００２０】
下部基板１０の上には横方向にゲート線２２が形成されており、ゲート線２２の分枝としてゲート電極２６が形成されている。第１画素行の画素電極と重なって維持容量を形成するための維持容量用ゲート線Ｇ０がゲート線２２と平行に形成されている。もちろん、第１画素行のための維持容量用電極としての機能を果すのならば、第１ゲート線をこのような維持容量用ゲート線Ｇ０であると称することもできる。ゲート配線２２、２６及び維持容量用ゲート線Ｇ０の上にはゲート絶縁膜３０が形成されている。ゲート電極２６の上部のゲート絶縁膜３０の上には半導体層４０が形成されている。また、ゲート絶縁膜３０の上にはデータ線６２が縦方向に形成されている。データ線６２には分枝の形態にソース電極６５が形成されており、ゲート電極２６を中心にしてソース電極６５の対向側にはドレーン電極６６が形成されている。ソース電極６５及びドレーン電極６６は半導体層４０の上に位置している。一般的にソース電極６５及びドレーン電極６６と半導体層４０との間には、接触抵抗を減少させるための抵抗性接触層５５、５６が形成されている。データ配線６２、６５、６６と同一層の画素領域の中央には光遮断パターン６７が形成されている。データ配線６２、６５、６６などの上には、ドレーン電極６６を露出させる接触孔８１を有する保護膜７０が形成されている。保護膜７０の上には、接触孔８１を通じてドレーン電極６６と連結される画素電極８０が形成されている。画素電極８０は、ＩＴＯ（indium tin oxide）などの透明な物質からなる。ここで、画素電極８０は隣接する２つのゲート線２２と２つのデータ線６２とが交差してなす領域に定義される画素領域の大部分を覆っている。
【００２１】
下部基板１０と対向する上部基板９０の上には、光漏れを防止するために不透明な物質で形成されており、画素領域を分割しているブラックマトリックス９１が形成されている。また、上部基板９０の全面上には、ＩＴＯなどの透明な物質で形成された共通電極９２が形成されており、カラーフィルター（図示しない）も形成されている。この時、ブラックマトリックス９１やカラーフィルターは下部基板１０に形成することもできる。
【００２２】
以上で説明した画素構造は第１画素行の画素構造であって、画素電極８０は第１画素行の維持容量用ゲート線Ｇ０と重なっており、他の画素行の画素構造では画素電極８０が前段のゲート線２２と重なって維持容量を形成する。
【００２３】
この時、第１画素行には光遮断パターン６７が形成されているため他の画素行の画素より開口率が減少する。
【００２４】
ここで、光遮断パターン６７はデータ配線６２、６５、６６と同一 の層に形成されているが、ゲート配線２２、２６と同一の層に形成されることもできる。
【００２５】
図３に示されているように、下部基板１０と上部基板９０とが互いに重なり合う時、下部基板１０は上部基板９０より大きいため下部基板１０の端部の一部は上部基板９０で覆われずに露出している。露出した下部基板１０の図中左側端部には、ゲート信号伝送フィルム２８が連結されている。このゲート信号伝送フィルム２８にはゲート駆動集積回路２７が実装されており、このゲート駆動集積回路２７は、ゲート線２２と電気的に連結されてゲート駆動信号を出力する。下部基板１０の上側端部には、データ信号伝送フィルム６８が連結されている。データ信号伝送フィルム６８にはデータ駆動集積回路６７が実装され、このデータ駆動集積回路６７は、データ線６２と電気的に連結されてデータ駆動信号を出力する。また、データ信号伝送フィルム６８には、液晶表示装置を駆動するための電気的信号を出力する印刷回路基板１２が連結されている。一方、基板１０の角部上部のゲート信号伝送フィルム２８とデータ信号伝送フィルム６８との間には共通電極９２に共通電圧Ｖｃｏｍを伝達するための共通電圧用配線７１、薄膜トランジスタをオンするためのオン電圧Ｖｏｎが伝達されるゲートオン電圧用配線７２、薄膜トランジスタをオフするためのオフ電圧Ｖｏｆｆが伝達されるゲートオフ電圧用配線７３などが形成されている。ここで、図面では示さなかったが、ゲート駆動集積回路が動作し得るようにキャリーインまたはゲートクロックなどの信号が伝達される配線などが追加的に形成されることができる。
【００２６】
図３及び４に示されているように、第１画素行の維持容量用ゲート線Ｇ０は、Ｖｏｆｆが伝達されるように、連結部７７を通じてゲートオフ電圧用配線７３と連結されている。この時、共通電圧用配線７１、ゲートオン電圧用配線７２及びゲートオフ電圧用配線７３などは維持容量用ゲート線Ｇ０と共にゲート線２２と同一の層及び物質で形成することが好ましい。また、連結部７７はデータ線６２または画素電極８０と同一の層及び物質で形成され、保護膜７０またはゲート絶縁膜３０に接触孔を形成して連結部７７を通じてゲートオフ電圧用配線７３と維持容量用ゲート線Ｇ０を連結させることができる。
【００２７】
本発明による液晶表示装置ではゲート駆動集積回路に伝達される信号の配線７１、７２、７３を下部基板１０の上部に形成することによって、ゲート印刷回路基板とデータ印刷回路基板とを連結するコネクターを省略することができ、本発明の実施形態例のようにゲート印刷回路基板を省略しデータ印刷回路基板だけを用いることもできる。
【００２８】
また、ゲート駆動集積回路２７とデータ駆動集積回路６７とを下部基板１０の上部に直接実装することもできる。
【００２９】
以上のように、第１画素行の開口率を他の行より低くすると共に、他のゲート電圧と同一の条件で第１画素行の維持容量用ゲート線にＶｏｆｆ電圧を印加し、他の画素行との明るさの差を補償することができる。さらに、第１行が周辺より多少暗くなることはあまり目障りにならないので光の明るさが完全に同一にならなくても画質は大きく改善される。
【００３０】
この時、第１画素行の開口率は他の画素行の開口率を１００％とする時、６０％から８０％程度が好適である。ただし、このような数値は液晶表示装置の画素の透過率又はＣｌｃ、Ｃｓｔなどの電気的数値に応じて多少変動する。
【００３１】
以上のように液晶表示装置を製造すると、配線を簡単化しながら第１画素行と他の画素行との明るさの差を補償して画質を向上させることができる。
【００３２】
一方、第１画素行の開口率を減少させるために、第１行のブラックマトリックス９１の開口部を他の画素行のブラックマトリックスの開口部より小さく形成することができる。
【００３３】
図５は本発明の第２実施形態例による液晶表示装置の第１画素行の画素領域の平面図であり、図６は図５のVI−VI’線に沿って切断して示した断面図である。
【００３４】
本発明の第２実施形態例による液晶表示装置の第１画素行の画素領域も第１実施形態例と殆ど類似している。
【００３５】
ただし、図５及び図６に示されているように、第２実施形態例による液晶表示装置用薄膜トランジスタ基板の第１画素行には光遮断パターンが別途に形成されておらず、その代わりにブラックマトリックス９１が他の画素行のブラックマトリックス９１より広く形成されて光が透過することができる開口面９３が縮小されている。
【００３６】
この時、ブラックマトリックスは第１実施形態例と同様に上部基板はもちろん下部基板にも形成されることができる。
【００３７】
ここで、第１画素行のブラックマトリックス９１の開口部９３を縮小するためにはブラックマトリックス９１の開口部９３においてゲート線２２の長さ方向である幅は他の画素行の開口部の幅と同一に形成され、データ線６２の長さ方向である長さは他の画素行の開口部の長さより小さく形成されることが好ましい。これは、画像が表示される時、ブラックマトリックス９１の幅が同一の幅で形成される場合に目障りにならずに表示されるためである。このようなブラックマトリックス９１の構造を図面を参照して具体的に説明する。
【００３８】
図７のように、ブラックマトリックス９１に形成されている大部分の開口部９４はＸの幅及びＹの長さを有し、Ｓの間隔で一定に配列されている。しかし、第１画素行のブラックマトリックス９１の開口部９３は他の開口部９４の長さＹと異なってＹ−ａの長さを有する。この時、ａは開口部９４に対して開口部９３が６０〜８０％になるように調節するとよい。
【００３９】
第１画素行にあるブラックマトリックス９１の開口部９３の幅は一定に維持し長さのみを減少させる構造はよりよい画像を産出するようにすることができる。もちろん、第１画素行にあるブラックマトリックス９１の開口部９３の幅及び長さを全て減少させて開口率を減少させることも可能である。
【００４０】
図８及び９は本発明の第３実施形態例による液晶表示装置を図示している。
【００４１】
本実施形態例による液晶表示装置は、共通電極電圧Ｖｃｏｍが第１画素行にある維持容量用電極Ｇ０に印加され、第１画素行にあるブラックマトリックス９１の開口幅及び長さが全て他の画素行にあるブラックマトリックス９１の開口幅及び長さより小さく設定されるという点以外は、他の構造及び要素は第２実施形態例による液晶表示装置と同一である。
【００４２】
図１０は本発明の第４実施形態例による液晶表示装置の平面図であって、薄膜トランジスタ基板１００とカラーフィルター基板１１０とが封印材３によって結合されている構造を示している。前記薄膜トランジスタ基板１００はカラーフィルター基板１１０より大きいため、部分的に外部に露出している。図面符号１はカラーフィルター基板１１０の端部を示す。
【００４３】
多数のゲート線２００が横方向にのびており、ゲート線２００の端にはゲートパッド２３０が連結されている。縦方向には多数のデータ線６１０がゲート線２００と絶縁されて交差し、データ線６１０の端にはデータパッド６４０が連結されている。
【００４４】
ゲート線２００及びデータ線６１０で囲まれた部分がそれぞれの画素領域Ｐと定義され、このような画素領域Ｐが集まって画面を表示する表示領域Ａになり、表示領域Ａは封印材３に囲まれていて封印材３より内側に位置する。
【００４５】
各画素領域Ｐには対応する色相のカラーフィルターＣＦが形成されている。各画素領域Ｐを囲むブラックマトリックスＢＭが画素領域Ｐの間の光の漏れを防止し、ブラックマトリックスＢＭの端部は図１０の線２で示したように対向基板１１０の端部内側、封印材３の外側に位置する。
【００４６】
このような構造では、パッド２３０、６４０とブラックマトリックスＢＭとの間の領域Ｂで光が漏れるので、光遮断パターン２５０、６５０を配置する。光遮断パターン２５０、６５０は、各配線２００、６１０及びパッド２３０、６４０と重ならないように配置されるが、ブラックマトリックスＢＭとは重なってもよい。また、光遮断パターン２５０、６５０は、封印材３とも重ならないように配置される。
【００４７】
一方、カラーフィルターＣＦ及びブラックマトリックスＢＭは、通常、上板１１０に形成されるが、下板１００に形成される場合もある。
【００４８】
以下、図１１乃至図１３を参照して本発明の実施形態例による液晶表示装置用基板の構造について詳細に説明する。
【００４９】
図１１は図１０の液晶表示装置のＣ部分を拡大して示した配置図であり、図１２及び図１３は図１１のXII−XII’線及びＸIII−ＸIII’線に沿って切断して示した断面図であって、カラーフィルター及びブラックマトリックスが上板に形成された構造を示している。
【００５０】
まず、薄膜トランジスタ基板の構造について詳細に説明する。
【００５１】
絶縁基板１００の上にアルミニウム（Ａｌ）またはアルミニウム合金（Al alloy）、モリブデン（Ｍｏ）またはモリブデン−タングステン合金（ＭｏＷ）、クロム（Ｃｒ）、タンタル（Ｔａ）などの金属または導電体からなるゲート配線２００、２１０、２３０及び第１光遮断パターン２５０が形成されている。ゲート配線は横方向にのびている多数のゲート線２００、ゲート線２００の分枝であるゲート電極２１０、ゲート線２００の端に連結されて外部から走査信号の印加を受けてゲート線２００に伝達するゲートパッド２３０を含む。
【００５２】
ゲート配線２００、２１０、２３０及び第１光遮断パターン２５０は、単一層で形成してもよいが、二重層以上で形成してもよい。この時、一つの層は抵抗の小さい物質で形成し、他の層は他の物質との接触特性が良い物質で形成することが好ましい。その例としてクロム及びアルミニウムの二重層やアルミニウム及びモリブデンの二重層をあげることができる。
【００５３】
ゲート配線２００、２１０、２３０及び第１光遮断パターン２５０は、窒化ケイ素などからなるゲート絶縁膜３００で覆われている。
【００５４】
ゲート絶縁膜３００の上には非晶質ケイ素などの半導体からなる半導体層４１０が形成されている。燐（Ｐ）のようなｎ型不純物がドーピングされている半導体層４１０の上には、抵抗性接触層５２０、５３０がゲート電極２１０を中心にして両側に分離されて形成されている。抵抗性接触層５２０、５３０は、非晶質ケイ素などの半導体から形成されている。
【００５５】
抵抗性接触層５２０、５３０及びゲート絶縁膜３００の上には、アルミニウム、アルミニウム合金、モリブデン、モリブデン−タングステン合金、クロム、タンタルなどの金属または導電体からなるデータ配線６１０、６２０、６３０、６４０及び第２光遮断パターン６５０が形成されている。データ配線は縦方向にのびている多数のデータ線６１０、データ線６１０の分枝であるソース電極６２０、ゲート電極２１０を中心にしてソース電極６２０と対向するドレーン電極６３０、データ線６１０に連結されて外部から画像信号の印加を受けてデータ線６１０に伝達するデータパッド６４０を含む。
【００５６】
第２光遮断パターン６５０はゲートパッド２３０と表示領域Ａとの間、隣接するゲート線２００の間に位置しており、ゲート線２００及びゲートパッド２３０と重ならない。一方、第１光遮断パターン２５０はデータパッド６４０と表示領域Ａとの間、隣接するデータ線６１０の間に位置しており、データ線６１０及びデータパッド６４０と重ならない。
【００５７】
データ配線６２０、６２０、６３０、６４０及び第２光遮断パターン６５０もゲート配線２００、２１０、２３０と同様に単一層または二重層以上に形成することができる。
【００５８】
データ配線６１０、６２０、６３０、６４０及び第２光遮断パターン６５０、半導体層４１０、ゲート絶縁膜３００の上には、窒化ケイ素などからなる保護膜７００が形成されている。保護膜７００は、ゲート絶縁膜３００と共にゲートパッド２３０を露出させる接触孔７３０を有している。また、保護膜７００は、データパッド６４０を露出させる接触孔７４０とドレーン電極６３０を露出させる接触孔７２０とを有している。
【００５９】
保護膜７００の上には、ＩＴＯなどの透明または不透明な導電物質からなる画素電極８２０及び補助ゲートパッド８３０、補助データパッド８４０が形成されている。
【００６０】
画素電極８２０は接触孔７２０を通じてドレーン電極６３０と連結されている。補助ゲートパッド８３０及び補助データパッド８４０は、接触孔７３０、７４０を通じてゲートパッド２３０及びデータパッド６４０とそれぞれ連結されている。これらはパッド２３０、６４０と外部回路装置との接着性を補完し、パッド２３０、６４０を保護する役割を果たす。
【００６１】
保護膜７００及び画素電極８２０の上には配向膜９００が形成されている。配向膜９００は液晶分子の配列のためにラビング方法又は紫外線などを照射する光配向法で表面処理することができる。
【００６２】
以下、上板、即ち、カラーフィルター基板について説明する。
【００６３】
透明な絶縁基板１１０の上にブラックマトリックス７１０が形成されており、ブラックマトリックス７１０の間にはカラーフィルター７５０が形成されている。
【００６４】
ブラックマトリックス７１０及びカラーフィルター７５０の上にはＩＴＯのような透明導電物質からなる共通電極８１０が形成されており、共通電極８１０の上には配向膜９１０が形成されている。
【００６５】
このような薄膜トランジスタ基板とカラーフィルター基板とは封印材３によって接着されており、その間の空間には液晶（ＬＣ）が注入されている。
【００６６】
図１０乃至図１３において、カラーフィルター基板の端部を示す線が線１であり、ブラックマトリックス７１０の外側の端部を示す線が線２である。封印材３は表示領域Ａの外側に位置し、線２は線１と封印材３との間に位置している。
【００６７】
ここで、第１光遮断パターン２５０及び第２光遮断パターン６５０はそれぞれデータ線６１０及びゲート線２００と重ならないようにしなければならず、このために整列誤差を考慮した最小限の間隔ａ、ｅをおいている（図１１参照）。また、第１及び第２光遮断パターン２５０、６５０は、パッド６４０、２３０に付着されるＴＣＰ（tape carrier package）とも重ならないようにしなければならないので、整列誤差を考慮してパッド２３０、６４０と充分な間隔ｂ、ｆをおく（図１１参照）。また、第１及び第２光遮断パターン２５０、６５０は、封印材３と重ならないように整列誤差を考慮した間隔ｃ、ｇをおいており（図１１、１２参照）、ブラックマトリックス７１０とは間隙がないことが好ましいので整列誤差を考慮した間隔ｄ、ｈだけ重なる（図１１、１２参照）。
【００６８】
ここで、第１及び第２光遮断パターン２５０、６５０が配線６１０、２００と重ならないようにすることは、これらが重なる場合短絡する可能性があるためである。また、封印材３と重ならないようにする理由は、重なる場合封印材３の圧搾時に加える圧力によって発生する短絡を防止するためである。ここで、光遮断パターン２５０、６５０と配線６１０、２００との間で光の漏れが発生する可能性があるが少量であるので無視することができる。
【００６９】
共通電極及び画素電極が薄膜トランジスタ基板に形成されている平面駆動（ＩＰＳ；in-plane switching）方式又は薄膜トランジスタがなく縞模様電極（または信号線）が２つの基板のそれぞれに交差するように形成されているＳＴＮ（super twisted nematic）方式にも、このような光遮断パターン２５０、６５０を適用することができる。
【００７０】
以下、本発明の実施形態例による薄膜トランジスタ基板の製造方法について図１４乃至図２１、前述の図１１乃至図１３に基づいて説明する。
【００７１】
図１４乃至図２１は図１２及び図１３に示された薄膜トランジスタ基板を製造する段階を工程順序に沿って示した断面図である。
【００７２】
まず、図１４及び図１５のように、絶縁基板１００の上にゲート配線用導電体層を蒸着し第１写真エッチング工程でパターニングしてゲート配線２００、２１０、２３０及び第１光遮断パターン２５０を形成する。
【００７３】
その次に、図１６及び図１７のように、ゲート絶縁膜３００、半導体層４１０及び抵抗性接触層５１０を順次に蒸着し、上部の二つの層を第２写真エッチング工程でパターニングする。
【００７４】
その次に、図１８及び図１９のように、データ配線用導電体層を蒸着し、第３写真エッチング工程でパターニングして、データ配線６１０、６２０、６３０、６４０及び第２光遮断パターン６５０を形成する。その次に、ソース電極６２０及びドレーン電極６３０の間に露出された抵抗性接触層５１０を除去して二つの部分５２０、５３０に分離し、半導体層４１０を露出させる。
【００７５】
その次に、図２０及び図２１のように、保護膜７００を蒸着し、第４写真エッチング工程でパターニングして、接触孔７２０、７３０、７４０を形成する。
【００７６】
その次に、図１２及び図１３のように、導電物質を蒸着し、第５写真エッチング工程でパターニングして、画素電極８２０及び補助ゲートパッド８３０、補助データパッド８４０を形成する。その次に、配向膜９００を形成する。配向膜９００は、封印材３と重なることもあり重ならないこともあるが、重なる場合には封印材３の幅の１／５の分だけ重なるように形成する。
【００７７】
このように完成した薄膜トランジスタ基板を封印材３でカラーフィルター基板と接着させ、その間の空間に液晶（ＬＣ）を注入する。
【００７８】
液晶を注入した後には、液晶表示装置を駆動するための駆動半導体素子を実装する。先ず、液晶表示装置の薄膜トランジスタ基板には、補助パッド８３０、８４０を覆う異方性導電膜（ＡＣＦ；anisotropic conducting film）（図示しない）を形成し、駆動半導体素子が実装されているＴＣＰを整列した後に熱圧搾する。これによって、薄膜トランジスタ基板の補助パッド８３０、８４０とＴＣＰ電極とが異方性導電膜内の導電球によって互いに導通するようになる。この時、前述のように光遮断パターン２５０、６５０がパッド２３０、６４０と充分な間隔ｂ、ｆをおいて分離されているので、熱圧搾時にも導電球による光遮断パターン２５０、６５０と補助パッド８３０、８４０の短絡が発生しない。
【００７９】
このように本実施形態例では薄膜トランジスタ基板を５度の写真エッチング工程で製造するが、４度の写真エッチング工程で製造することもできる。
【００８０】
図２２乃至図２４は本発明の第５実施形態例による液晶表示装置を示している。本実施形態例による液晶表示装置の構造及び要素は第４実施形態例による液晶表示装置の構造及び要素と類似している。但し、データ配線６１０、６２０、６３０、６４０及び第２光遮断パターン６５０の下部に抵抗性接触層５２０、５３０、５５０及び半導体層４１０、４５０が位置している。抵抗性接触層５２０、５３０、５５０の形態は、データ配線６１０、６２０、６３０、６４０及び第２光遮断パターン６５０の形態と同一である。半導体層４１０、４５０の形態は、薄膜トランジスタのチャンネル部、即ち、ソース電極６２０とドレーン電極６３０との間部分以外はデータ配線６１０、６２０、６３０、６４０及び第２光遮断パターン６５０の形態と同一である。
【００８１】
以下、４度の写真エッチング工程を利用した薄膜トランジスタ基板の製造方法について簡略に説明する。
【００８２】
まず、絶縁基板１００の上にゲート配線用導電体層を蒸着し、第１写真エッチングを実施して、ゲート配線２００、２１０、２３０及び第１光遮断パターン２５０を形成する。その次に、ゲート配線２００、２１０、２３０及び第１光遮断パターン２５０を覆うゲート絶縁膜３００を蒸着し、半導体層、抵抗性接触層及びデータ配線用導電体層を順次に蒸着する。その後、第２写真エッチングで前記３つの層をパターニングし、データ配線６１０、６２０、６３０、６４０、第２光遮断パターン６５０及びその下部層を形成する。これについて詳しく説明すると、先ず、導電体層上に感光膜を塗布し、位置に応じて光の透過率が異なるマスクを使用して感光膜パターン（図示しない）を形成する。感光膜パターンのうちのソース電極６２０とドレーン電極６３０との間に位置した感光膜パターンは、データ配線６１０、６２０、６３０、６４０及び第２光遮断パターン６５０が形成される部分に位置した感光膜パターンより厚さが薄く、その他の部分の感光膜は厚さがなかったり他の部分より薄い。その次に、その他の部分の露出されている導電体層を除去してその下部の抵抗性接触層を露出させる。この時、その他の部分に薄い感光膜が残っている場合には、導電体層を除去する前に感光膜を先ず除去する。その次に、その他の部分の露出された抵抗性接触層及びその下部の半導体層を、ソース電極６２０とドレーン電極６３０との間の感光膜パターンと共にエッチングする。これによって、ソース及びドレーン電極が形成される導電体層、分離されない抵抗性接触層５２０、５３０、５５０、及びその下部の半導体層４１０、４５０が形成される。この時、その他の部分の抵抗性接触層及び半導体層が完全に除去されてその下部のゲート絶縁膜が露出されることができるが、半導体層が多少残っていることもある。その次に、ソース及びドレーン電極６２０、６３０の間の導電体層とその下部の抵抗性接触層をエッチングして分離し、半導体層４１０を露出させる。その他の部分に半導体層が残っている場合には除去する。これによって、データ配線６１０、６２０、６３０、６４０及び第２光遮断パターン６５０を完成した後、その上に残っている感光膜を除去する。その次に、保護膜７００を蒸着した後、第３写真エッチングを実施して接触孔７２０、７３０、７４０を形成する。その次に、ＩＴＯのような透明な導電物質を蒸着した後、第４写真エッチングを実施して画素電極８２０及び補助ゲートパッド８３０、補助データパッド８４０を形成する。その次に、配向膜９００を形成する。
【００８３】
以上のように、本発明では光遮断パターンを形成することによって光の漏れを防止することができ、光遮断パターンを配線、パッド、封印材と一定の間隔をおいて形成することによって光遮断パターンと配線の短絡を防止することができる。
【符号の説明】
【００８４】
３  封印材
１０  下部基板
１２  印刷回路基板
２２、２００  ゲート線
２６、２１０  ゲート電極
２７  ゲート駆動集積回路
２８  ゲート信号伝送フィルム
３０、３００  ゲート絶縁膜
４０、４１０、４５０  半導体層
５５、５６、５１０、５２０、５３０、５５０  抵抗性接触層
６２、６１０  データ線
６５、６２０  ソース電極
６６、６３０  ドレーン電極
６７、２５０、６５０  光遮断パターン
６８  データ信号伝送フィルム
７０、７００  保護膜
７１  共通電圧用配線
７２  ゲートオン電圧用配線
７３  ゲートオフ電圧用配線
７７  連結部
８０、８２０  画素電極
８１、７２０、７３０、７４０  接触孔
９０  上部基板
９１、７１０  ブラックマトリックス
９２、８１０  共通電極
９３、９４  開口部
１００  薄膜トランジスタ基板
１１０  カラーフィルター基板
２３０  ゲートパッド
６４０  データパッド
７５０  カラーフィルター
８３０  補助ゲートパッド
８４０  補助データパッド
９００、９１０  配向膜
【図１】
2011039538.tif 000003
【図２】
2011039538.tif 000004
【図３】
2011039538.tif 000005
【図４】
2011039538.tif 000006
【図５】
2011039538.tif 000007
【図６】
2011039538.tif 000008
【図７】
2011039538.tif 000009
【図８】
2011039538.tif 000010
【図９】
2011039538.tif 000011
【図１０】
2011039538.tif 000012
【図１１】
2011039538.tif 000013
【図１２】
2011039538.tif 000014
【図１３】
2011039538.tif 000015
【図１４】
2011039538.tif 000016
【図１５】
2011039538.tif 000017
【図１６】
2011039538.tif 000018
【図１７】
2011039538.tif 000019
【図１８】
2011039538.tif 000020
【図１９】
2011039538.tif 000021
【図２０】
2011039538.tif 000022
【図２１】
2011039538.tif 000023
【図２２】
2011039538.tif 000024
【図２３】
2011039538.tif 000025
【図２４】
2011039538.tif 000026